【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
紙が搬送ガイドと搬送ローラで構成される搬送経路を搬送されていく挙動をシミュレーションする設計支援システムであって、
前記搬送経路の位置と形状を定義する搬送経路定義手段と、
前記搬送経路定義手段により定義された前記搬送経路において、ジャムが発生した際に移動させる部材の移動条件を設定する移動条件設定手段と、
紙のカール形状を設定した紙モデルを作成する紙モデル作成手段と、
紙の搬送条件を設定する搬送条件設定手段と、
紙がジャムする条件を設定するジャム条件設定手段と、
紙の搬送状態を計算する搬送状態計算手段と、
ジャムの発生を判断するジャム発生判断手段と、
前記ジャム発生判断手段によりジャムが発生していないと判断された場合、前記搬送状態計算手段に紙の搬送状態を繰り返して計算させるために、前記移動させる部材を移動させる第１の移動手段と、
前記ジャム発生判断手段によりジャムが発生していると判断された場合、ジャム発生の境界領域を特定し、前記境界領域が特定されたか否かを判断する境界領域特定判断手段と、
前記境界領域特定判断手段により前記境界領域が特定されていないと判断された場合、前記搬送状態計算手段に紙の搬送状態を繰り返して計算させるために、前記移動させる部材を移動させる第２の移動手段と、
前記境界領域特定判断手段により前記境界領域が特定されていると判断された場合、特定された前記境界領域を表示する表示手段と、
を備えることを特徴とする設計支援システム。
【請求項２】
紙が搬送ガイドと搬送ローラで構成される搬送経路を搬送されていく挙動をシミュレーションする紙搬送シミュレーション方法であって、
前記搬送経路の位置と形状を定義する搬送経路定義ステップと、
前記搬送経路定義ステップにより定義された前記搬送経路において、ジャムが発生した際に移動させる部材の移動条件を設定する移動条件設定ステップと、
紙のカール形状を設定した紙モデルを作成する紙モデル作成ステップと、
紙の搬送条件を設定する搬送条件設定ステップと、
紙がジャムする条件を設定するジャム条件設定ステップと、
紙の搬送状態を計算する搬送状態計算ステップと、
ジャムの発生を判断するジャム発生判断ステップと、
前記ジャム発生判断ステップによりジャムが発生していないと判断された場合、前記搬送状態計算ステップに紙の搬送状態を繰り返して計算させるために、前記移動させる部材を移動させる第１の移動ステップと、
前記ジャム発生判断ステップによりジャムが発生していると判断された場合、ジャム発生の境界領域を特定し、前記境界領域が特定されたか否かを判断する境界領域特定判断ステップと、
前記境界領域特定判断ステップにより境界領域が特定されていないと判断された場合、前記搬送状態計算ステップに紙の搬送状態を繰り返して計算させるために、前記移動させる部材を移動させる第２の移動ステップと、
前記境界領域特定判断ステップにより前記境界領域が特定されていると判断された場合、特定された前記境界領域を表示する表示ステップと、
を備えることを特徴とする紙搬送シミュレーション方法。
【請求項３】
紙が搬送ガイドと搬送ローラで構成される搬送経路内を搬送されていく挙動をシミュレーションする紙搬送シミュレーション方法を設計支援システムとしてのコンピュータに実行させるプログラムであって、
前記紙搬送シミュレーション方法は、
前記搬送経路の位置と形状を定義する搬送経路定義ステップと、
前記搬送経路定義ステップにより定義された前記搬送経路において、移動させる部材の移動条件を設定する移動条件設定ステップと、
紙のカール形状を設定した紙モデルを作成する紙モデル作成ステップと、
紙の搬送条件を設定する搬送条件設定ステップと、
紙がジャムする条件を設定するジャム条件設定ステップと、
紙の搬送状態を計算する搬送状態計算ステップと、
ジャムの発生を判断するジャム発生判断ステップと、
前記ジャム発生判断ステップによりジャムが発生していないと判断された場合、前記搬送状態計算ステップに紙の搬送状態を繰り返して計算させるために、前記移動させる部材を移動させる第１の移動ステップと、
前記ジャム発生判断ステップによりジャムが発生していると判断された場合、ジャム発生の境界領域を特定し、前記境界領域が特定されたか否かを判断する境界領域特定判断ステップと、
前記境界領域特定判断ステップにより境界領域が特定されていないと判断された場合、前記搬送状態計算ステップに紙の搬送状態を繰り返して計算させるために、前記移動させる部材を移動させる第２の移動ステップと、
前記境界領域特定判断ステップにより境界領域が特定されていると判断された場合、特定された境界領域を表示する表示ステップと、
を備えることを特徴とするプログラム。
【請求項４】
請求項３記載のプログラムを格納するコンピュータで読み取り可能な記憶媒体。
【手続補正２】
【補正対象書類名】明細書
【補正対象項目名】００１０
【補正方法】変更
【補正の内容】
【００１０】
上記目的を達成するために、請求項１記載の設計支援システムは、紙が搬送ガイドと搬送ローラで構成される搬送経路を搬送されていく挙動をシミュレーションする設計支援システムであって、前記搬送経路の位置と形状を定義する搬送経路定義手段と、前記搬送経路定義手段により定義された前記搬送経路において、ジャムが発生した際に移動させる部材の移動条件を設定する移動条件設定手段と、紙のカール形状を設定した紙モデルを作成する紙モデル作成手段と、紙の搬送条件を設定する搬送条件設定手段と、紙がジャムする条件を設定するジャム条件設定手段と、紙の搬送状態を計算する搬送状態計算手段と、ジャムの発生を判断するジャム発生判断手段と、前記ジャム発生判断手段によりジャムが発生していないと判断された場合、前記搬送状態計算手段に紙の搬送状態を繰り返して計算させるために、前記移動させる部材を移動させる第１の移動手段と、前記ジャム発生判断手段によりジャムが発生していると判断された場合、ジャム発生の境界領域を特定し、前記境界領域が特定されたか否かを判断する境界領域特定判断手段と、前記境界領域特定判断手段により前記境界領域が特定されていないと判断された場合、前記搬送状態計算手段に紙の搬送状態を繰り返して計算させるために、前記移動させる部材を移動させる第２の移動手段と、前記境界領域特定判断手段により前記境界領域が特定されていると判断された場合、特定された前記境界領域を表示する表示手段と、を備えることを特徴とする。
【手続補正３】
【補正対象書類名】明細書
【補正対象項目名】００１１
【補正方法】変更
【補正の内容】
【００１１】
請求項２記載の紙搬送シミュレーション方法は、紙が搬送ガイドと搬送ローラで構成される搬送経路を搬送されていく挙動をシミュレーションする紙搬送シミュレーション方法であって、前記搬送経路の位置と形状を定義する搬送経路定義ステップと、前記搬送経路定義ステップにより定義された前記搬送経路において、ジャムが発生した際に移動させる部材の移動条件を設定する移動条件設定ステップと、紙のカール形状を設定した紙モデルを作成する紙モデル作成ステップと、紙の搬送条件を設定する搬送条件設定ステップと、紙がジャムする条件を設定するジャム条件設定ステップと、紙の搬送状態を計算する搬送状態計算ステップと、ジャムの発生を判断するジャム発生判断ステップと、前記ジャム発生判断ステップによりジャムが発生していないと判断された場合、前記搬送状態計算ステップに紙の搬送状態を繰り返して計算させるために、前記移動させる部材を移動させる第１の移動ステップと、前記ジャム発生判断ステップによりジャムが発生していると判断された場合、ジャム発生の境界領域を特定し、前記境界領域が特定されたか否かを判断する境界領域特定判断ステップと、前記境界領域特定判断ステップにより境界領域が特定されていないと判断された場合、前記搬送状態計算ステップに紙の搬送状態を繰り返して計算させるために、前記移動させる部材を移動させる第２の移動ステップと、前記境界領域特定判断ステップにより前記境界領域が特定されていると判断された場合、特定された前記境界領域を表示する表示ステップと、を備えることを特徴とする。
【手続補正４】
【補正対象書類名】明細書
【補正対象項目名】００１２
【補正方法】変更
【補正の内容】
【００１２】
請求項３記載のプログラムは、紙が搬送ガイドと搬送ローラで構成される搬送経路内を搬送されていく挙動をシミュレーションする紙搬送シミュレーション方法を設計支援システムとしてのコンピュータに実行させるプログラムであって、前記紙搬送シミュレーション方法は、前記搬送経路の位置と形状を定義する搬送経路定義ステップと、前記搬送経路定義ステップにより定義された前記搬送経路において、移動させる部材の移動条件を設定する移動条件設定ステップと、紙のカール形状を設定した紙モデルを作成する紙モデル作成ステップと、紙の搬送条件を設定する搬送条件設定ステップと、紙がジャムする条件を設定するジャム条件設定ステップと、紙の搬送状態を計算する搬送状態計算ステップと、ジャムの発生を判断するジャム発生判断ステップと、前記ジャム発生判断ステップによりジャムが発生していないと判断された場合、前記搬送状態計算ステップに紙の搬送状態を繰り返して計算させるために、前記移動させる部材を移動させる第１の移動ステップと、前記ジャム発生判断ステップによりジャムが発生していると判断された場合、ジャム発生の境界領域を特定し、前記境界領域が特定されたか否かを判断する境界領域特定判断ステップと、前記境界領域特定判断ステップにより境界領域が特定されていないと判断された場合、前記搬送状態計算ステップに紙の搬送状態を繰り返して計算させるために、前記移動させる部材を移動させる第２の移動ステップと、前記境界領域特定判断ステップにより境界領域が特定されていると判断された場合、特定された境界領域を表示する表示ステップと、を備えることを特徴とする。
【手続補正５】
【補正対象書類名】明細書
【補正対象項目名】００３４
【補正方法】変更
【補正の内容】
【００３４】
図５の例では、紙種として代表的な再生紙であるＥＮ１００ＤＫが選択されているが、この操作により、ＥＮ１００ＤＫのヤング率５４０９ＭＰａ、密度６．８×１０-７ｋｇ／ｍｍ３、紙厚０．０９５１ｍｍという値がデータベースから選択される。